(57)【要約】【課題】防水メンテナンスの作業性向上及び各種配線の設置スペース確保の少なくとも一方について改善が図られた屋根構造を提供する。【解決手段】建物１０の屋根を構成する屋根部材（例えば断熱材１２及び野地板１１）と、屋根部材の外端部１１ａ，１２ａと対向するよう配置され、雨樋４０を支持する樋支持部材３０とを備える。そして、樋支持部材３０の屋内側の面に接着面３２ａを形成し、この接着面３２ａと屋根部材の外端部１１ａ，１２ａとの間に間隙Ｋを設ける。これによれば、メンテナンス用防水シートの端部を前記間隙Ｋに挿入して、建物１０のうち樋支持部材３０の屋内側に位置する部分に防水シート端部を貼り付けるようにできる。よって、このような挿入スペースとして前記間隙Ｋを利用すれば、防水メンテナンスの作業性を向上できる。【選択図】図１
2010174594.tif 000002
【特許請求の範囲】
【請求項１】
建物の屋根を構成する屋根部材と、
前記屋根部材の外端部と対向するよう配置され、雨樋を支持する樋支持部材とを備え、
前記樋支持部材の屋内側の面と前記屋根部材の外端部との間に間隙を設けたことを特徴とする屋根構造。
【請求項２】
前記樋支持部材の屋内側の面には、メンテナンス用防水シートを接着するための接着面が形成されていることを特徴とする請求項１に記載の屋根構造。
【請求項３】
前記間隙を屋外側から覆って防水する被覆シートを備えることを特徴とする請求項１又は２に記載の屋根構造。
【請求項４】
前記被覆シートは、前記樋支持部材の屋外側の面を覆う支持部材被覆部を有することを特徴とする請求項３に記載の屋根構造。
【請求項５】
前記樋支持部材は、
建物の外壁材に取り付けられる取付部と、
前記取付部より上方かつ前記屋根部材の前記外端部と前記間隙を隔てた位置に配置されるとともに前記接着面を形成する接着部と、
前記取付部及び前記接着部を連結する連結部と、
を有することを特徴とする請求項２〜４のいずれか１つに記載の屋根構造。
【請求項６】
前記屋根部材は、屋根葺き材、及び前記屋根葺き材の下方に位置する断熱材を有し、
前記間隙は、前記断熱材の外端部と前記樋支持部材との間に設けられていることを特徴とする請求項１〜５のいずれか１つに記載の屋根構造。
【請求項７】
建物の屋根を構成する屋根部材と、
前記屋根部材の外端部と対向するよう配置され、雨樋を支持する樋支持部材と、
前記樋支持部材に取り付けられ、前記樋支持部材の屋内側の面と前記外端部との間に設けられた間隙を屋外側から覆って防水する被覆シートと、を備える屋根構造に対し、メンテナンス用防水シートを取り付ける作業を行う防水メンテナンス方法であって、
前記被覆シートのうち少なくとも前記間隙を覆う部分を除去することで、前記間隙を露出させる除去作業と、
前記間隙に前記メンテナンス用防水シートを挿入し、前記樋支持部材の屋内側の面に形成された接着面に前記メンテナンス用防水シートを接着する接着作業と、
を有することを特徴とする防水メンテナンス方法。
【請求項８】
前記被覆シートは、前記樋支持部材の屋外側の面を覆う支持部材被覆部を有しており、
前記防水メンテナンス作業の除去作業では、前記支持部材被覆部を除去することなく残しておくことを特徴とする請求項７に記載の防水メンテナンス方法。
【請求項９】
前記屋根部材は、複数の屋根葺き材と、前記屋根葺き材の下方に位置する断熱材とを有しており、
前記複数の屋根葺き材のうち前記間隙の上方に位置する屋根葺き材を、前記断熱材から取り外した後に前記接着作業を行い、
前記接着作業の後に、取り外した前記屋根葺き材を前記断熱材の元の位置に取り付け、その後、前記メンテナンス用防水シートを折り曲げて前記屋根葺き材の上に重ね合わせる作業を行うことを特徴とする請求項７又は８に記載の防水メンテナンス方法。
【請求項１０】
前記屋根葺き材を前記断熱材の元の位置に取り付けた後に、前記メンテナンス用防水シートとは別の屋根用防水シートを前記屋根葺き材の上から覆い被せることを特徴とする請求項９に記載の防水メンテナンス方法。
【請求項１１】
前記屋根用防水シートの端部を、前記メンテナンス用防水シートと重ね合わせて接着させることを特徴とする請求項１０に記載の防水メンテナンス方法。
【発明の詳細な説明】
【技術分野】
【０００１】
本発明は、雨樋を支持する樋支持部材を備えた屋根構造、及びその屋根構造に対する防水メンテナンス方法に関する。
【背景技術】
【０００２】
特許文献１等には建物の雨樋の構造が開示されている。この雨樋は、軒先に沿って水平方向に延びる軒樋と、軒樋を支持する吊り金具とを有して構成されている。
【０００３】
図４は、この種の雨樋４０を外壁材２２に取り付けた状態を示す一般的な建物１０ｘの構造を示す。図中、外壁材２２の上方に位置する屋根部材は、例えば樹脂を金属板に塗布して形成された塩ビ鋼板等の屋根葺き材（以下、「塩ビ鋼板１３ｘ〜１５ｘ」と記載）、及び塩ビ鋼板１３ｘ〜１５ｘの下方に配置された断熱材１２ｘから構成されている。また、複数の塩ビ鋼板１３ｘ〜１５ｘのうち屋根の外端に位置する塩ビ鋼板１３ｘは、断熱材１２ｘの上面から側面にかけて折れ曲がって延びており、塩ビ鋼板１３ｘのうち断熱材１２ｘの側面（外端部１２０ｘ）に対向する立ち上がり部分１３０ｘは、先述した外壁材２２の外表面２２ａに取り付けられている。そして、軒樋４１を支持する吊り金具４２は、この立ち上がり部分（以下、「樋支持部１３０ｘ」と記載）に支持されている。
【先行技術文献】
【特許文献】
【０００４】
【特許文献１】特開２００５−１８００９１号公報
【発明の概要】
【発明が解決しようとする課題】
【０００５】
しかしながら従来の屋根構造では、以下に例示するメンテナンス作業や通信線設置等を考慮した構造になっておらず、改善の余地が有る。
【０００６】
例えば、図４に示す従来の屋根構造において、塩ビ鋼板１３ｘ〜１５ｘの上から防水シートを貼り付ける等、防水のためのメンテナンス作業を行う場合がある。この場合、防水シートを貼り付ける面となる塩ビ鋼板１３ｘ〜１５ｘの外表面が、紫外線等により劣化して十分な貼り付けができないとの不具合や、雨樋４０が防水シートを貼り付ける作業の邪魔になるとの不具合が懸念される。
【０００７】
また、ケーブルテレビやアンテナに用いられる各種通信線や電気配線を、建物の屋根部分に設置することを要する場合がある。この場合、通信線や電気配線の設置スペースを確保することの困難性が懸念される。
【０００８】
本発明は、防水メンテナンスの作業性向上及び各種配線の設置スペース確保の少なくとも一方について改善が図られた屋根構造、及び防水メンテナンスの作業性向上について改善が図られた防水メンテナンス方法を提供することを主たる目的とするものである。
【課題を解決するための手段】
【０００９】
本発明は、上記課題を解決するために、以下の手段を採用した。
【００１０】
すなわち、第１の発明は、建物の屋根を構成する屋根部材と、前記屋根部材の外端部と対向するよう配置され、雨樋を支持する樋支持部材とを備え、前記樋支持部材の屋内側の面と前記屋根部材の外端部との間に間隙を設けたことを特徴とする屋根構造である。
【００１１】
この第１の発明によれば、以下に説明する防水メンテナンスの作業性向上及び各種配線の設置スペース確保の少なくとも一方について改善を図ることができる。
【００１２】
すなわち、樋支持部材の屋内側の面と屋根部材の外端部との間に間隙を設けているので、メンテナンス用防水シートの端部を前記間隙に挿入して、樋支持部材の屋内側の面に前記防水シート端部を貼り付けるようにできる。
【００１３】
ここで、樋支持部材の材質が樹脂（例えば樹脂を金属板に塗布して形成された塩ビ鋼板等）である場合において、メンテナンス用防水シートを樋支持部材に貼り付ける場合には、樋支持部材の樹脂が紫外線により劣化していると、貼り付け性が悪くなることが懸念される。この懸念に対し、上記第１の発明によれば、樋支持部材の屋外側の面に比べて紫外線による劣化が少ない屋内側の面に前記防水シート端部を貼り付けるようにできるので、メンテナンス用防水シートの接着性悪化を抑制できる。また、上述の如く樋支持部材の屋内側の面に防水シート端部を貼り付けるようにすれば、樋支持部材から雨樋を取り外すことなく防水シートを樋支持部材に取り付けることができる場合がある。
【００１４】
また、前記間隙を、ケーブルテレビやアンテナに用いられる各種通信線や電気配線を設置する設置スペースとして利用できる場合がある。例えば、図４に示す従来の屋根構造では、吊り金具４２を支持する樋支持部１３０ｘが断熱材１２ｘの外端部１２０ｘと接触しているため、通信線や電気配線の設置スペースを樋支持部１３０ｘの内側に確保することは困難である。よって、これらの配線を樋支持部１３０ｘの外側に設置せざるを得ず、建物１０ｘの見栄えが損なわれる場合がある。これに対し、上述の如く設置スペースとして前記間隙を利用すれば、その間隙は樋支持部材の屋内側に位置するので、屋外から目隠しされた位置に各種配線の設置スペースを確保できる。
【００１５】
第２の発明では、前記樋支持部材の屋内側の面には、メンテナンス用防水シートを接着するための接着面が形成されていることを特徴とする。
【００１６】
これによれば、樋支持部材のうち紫外線による劣化の少ない屋内側の面に接着面を形成するので、メンテナンス用防水シートの樋支持部材への接着性悪化を抑制できる。
【００１７】
第３の発明では、前記間隙を屋外側から覆って防水する被覆シートを備えることを特徴とする。
【００１８】
これによれば、防水メンテナンス作業の実施前の状態においては、樋支持部材と屋根部材との間隙に対する防水を被覆シートで行うことができ、接着面が屋外に露出することを被覆シートにより回避できる。よって、接着面が風雨に晒されて劣化することを抑制でき、メンテナンス用防水シートの接着面への接着性を向上できる。そして、防水メンテナンス作業の際には、被覆シートのうち少なくとも間隙を覆っている部分を取り除くことで前記間隙を露出させることができるので、メンテナンス用防水シートの端部を間隙へ挿入する作業を容易に実施できる。
【００１９】
第４の発明では、前記被覆シートは、前記樋支持部材の屋外側の面を覆う支持部材被覆部を有することを特徴とする。
【００２０】
これによれば、防水メンテナンス作業の実施前の状態においては、樋支持部材の屋外側の面が紫外線や風雨に晒されて劣化することを支持部材被覆部により抑制できる。また、防水メンテナンス作業の後においては、例えば支持部材被覆部を除去することなく残しておけば、メンテナンス用防水シート及び支持部材被覆部により樋支持部材を二重で防水できるので、樋支持部材に対する防水性を向上できる。
【００２１】
第５の発明では、前記樋支持部材は、建物の外壁材に取り付けられる取付部と、前記取付部より上方かつ前記屋根部材の前記外端部と前記間隙を隔てた位置に配置されるとともに前記接着面を形成する接着部と、前記取付部及び前記接着部を連結する連結部と、を有することを特徴とする。
【００２２】
これによれば、例えば、外壁材の外表面の水平方向位置と屋根部材の前記外端部の水平方向位置とが一致しない場合であっても、連結部の長さや向きを変えるだけで、接着部（図１中の符号３２参照）の水平方向位置を外壁材の外表面からオフセット配置させることができる。よって、間隙が設けられていない従来の屋根構造における外壁材の水平方向位置及び屋根部材の外端部の水平方向位置を変更することなく、樋支持部材の屋内側の面と屋根部材の外端部との間に間隙を設けることを容易に実現できる。
【００２３】
第６の発明は、「屋根部材の外端部」の具体例を示すものであり、前記屋根部材は、屋根葺き材、及び前記屋根葺き材の下方に位置する断熱材を有し、前記間隙は、前記断熱材の外端部と前記樋支持部材との間に設けられていることを特徴とする。また、他の具体例としては、屋根葺き材の外端部と樋支持部材との間に間隙を設ける例や、断熱材の下方に配置された野地板の外端部と樋支持部材との間に間隙を設ける例等が挙げられる。
【００２４】
第７の発明は、建物の屋根を構成する屋根部材と、前記屋根部材の外端部と対向するよう配置され、雨樋を支持する樋支持部材と、前記樋支持部材に取り付けられ、前記樋支持部材の屋内側の面と前記外端部との間に設けられた間隙を屋外側から覆って防水する被覆シートと、を備える屋根構造に対し、メンテナンス用防水シートを取り付ける作業を行う防水メンテナンス方法である。そして、前記被覆シートのうち少なくとも前記間隙を覆う部分を除去することで、前記間隙を露出させる除去作業と、前記間隙に前記メンテナンス用防水シートを挿入し、前記樋支持部材の屋内側の面に形成された接着面に前記メンテナンス用防水シートを接着する接着作業と、を有することを特徴とする。
【００２５】
この第７の発明によれば、メンテナンス用防水シートの端部を前記間隙に挿入して、樋支持部材の屋内側に形成された接着面に前記防水シート端部を接着する。そのため、紫外線による劣化が激しい樋支持部材の屋外側の面にメンテナンス用防水シートを接着する場合に比べて、紫外線による劣化が少ない屋内側の接着面にメンテナンス用防水シートを接着させるので、メンテナンス用防水シートの接着性を向上できる。
【００２６】
さらに、上記第７の発明によれば、防水メンテナンス作業の実施前の状態においては、樋支持部材と屋根部材との間隙に対する防水を被覆シートで行うことができる。そのため、接着面が屋外に露出することを被覆シートにより回避するので、その接着面が風雨により劣化することを抑制でき、メンテナンス用防水シートの接着面への接着性を向上できる。
【００２７】
第８の発明では、前記被覆シートは、前記樋支持部材の屋外側の面を覆う支持部材被覆部を有しており、前記防水メンテナンス作業の除去作業では、前記支持部材被覆部を除去することなく残しておくことを特徴とする。
【００２８】
これによれば、防水メンテナンス作業前の時点において、樋支持部材が紫外線や風雨に晒される等により劣化することを支持部材被覆部により抑制できる。また、防水メンテナンス作業の後においては、メンテナンス用防水シート及び支持部材被覆部により樋支持部材を二重で防水できるので、紫外線等による劣化が特に懸念される部位である樋支持部材に対し、その防水性を向上できる。
【００２９】
第９の発明では、前記屋根部材は、複数の屋根葺き材と、前記屋根葺き材の下方に位置する断熱材とを有しており、前記複数の屋根葺き材のうち前記間隙の上方に位置する屋根葺き材を、前記断熱材から取り外した後に前記接着作業を行い、前記接着作業の後に、取り外した前記屋根葺き材を前記断熱材の元の位置に取り付け、その後、前記メンテナンス用防水シートを折り曲げて前記屋根葺き材の上に重ね合わせる作業を行うことを特徴とする。
【００３０】
これによれば、複数の屋根葺き材のうち間隙の上方に位置する屋根葺き材を断熱材から取り外した後に接着作業を行うので、メンテナンス用防水シートを間隙に挿入して接着する作業を行うにあたり、屋根葺き材を取り外すことで間隙の開口を大きく確保できる。よって、接着作業の作業性を向上できる。また、接着作業の後に、メンテナンス用防水シートを折り曲げて屋根葺き材の上に重ね合わせるので、防水メンテナンス作業の後においては、当該メンテナンス用防水シートにより屋根葺き材と樋支持部材との間（つまり間隙）を確実に防水できる。
【００３１】
なお、上記「屋根葺き材」には、メンテナンス用防水シートと同じ材質（例えば樹脂を金属板に塗布して形成された塩ビ鋼板）のものを適用することが具体例として挙げられる。
【００３２】
第１０の発明では、前記屋根葺き材を前記断熱材の元の位置に取り付けた後に、前記メンテナンス用防水シートとは別の屋根用防水シートを前記屋根葺き材の上から覆い被せることを特徴とする。
【００３３】
これによれば、建物の屋根部分を、屋根葺き材及び屋根用防水シートにより二重で防水できる。
【００３４】
第１１の発明では、前記屋根用防水シートの端部を、前記メンテナンス用防水シートと重ね合わせて接着させることを特徴とする。
【００３５】
そのため、メンテナンス用防水シートは樋支持部材に接着されることにより位置決めされているが、このように位置決めされているメンテナンス用防水シートに屋根用防水シートの端部を重ね合わせて接着するので、ひいては屋根用防水シートをも位置決めさせることができ、屋根用防水シートを屋根葺き材の上から覆い被せて取り付ける作業を行うにあたり、その作業性を向上できる。
【図面の簡単な説明】
【００３６】
【図１】本発明の一実施形態にかかる屋根構造を示す断面図。
【図２】図１の屋根構造に対して防水メンテナンス作業を行う場合における、その作業手順を示す図。
【図３】他の実施形態にかかる屋根構造を示す断面図。
【図４】従来の屋根構造を示す断面図。
【発明を実施するための形態】
【００３７】
以下に、本発明の屋根構造及び防水メンテナンス方法の一実施の形態について、図面を参照しつつ説明する。図１は建物１０の屋根構造を示す断面図であり、後述する防水メンテナンスを実施する前の状態を示す。本実施形態ではフラット屋根（陸屋根）を対象としており、このフラット屋根は、野地板１１（屋根部材）、断熱材１２（屋根部材）及び屋根葺き材１３，１４，１５から構成されている。
【００３８】
野地板１１は、屋根フレーム１８の上に設置されており、野地板１１の材質には合板やＡＬＣ（軽量コンクリート）等が用いられている。断熱材１２は野地板１１の上に設置されており、屋内の各種部材に結露が生じることを抑制するためのものである。断熱材１２の材質には発泡性の樹脂（例えばポリスチレンフォーム）が用いられている。屋根葺き材１３〜１５の材質には、耐水材で被覆された金属板が採用されており、具体的には、ポリ塩化ビニル等の樹脂を金属板に塗布して形成された塩ビ鋼板が採用されている。以下、この屋根葺き材１３〜１５を塩ビ鋼板と呼ぶ。
【００３９】
塩ビ鋼板１３〜１５は、断熱材１２の全体を覆うように複数枚敷き詰められており、塩ビ鋼板１３〜１５の上面が屋根部材の外表面を形成する。そのため、塩ビ鋼板１３〜１５には防水性が要求されており、隣接する塩ビ鋼板１４，１５の間は防水テープ１６によりシールされている。
【００４０】
また、塩ビ鋼板１３〜１５は、タッピングスクリュ１７等の締結部材により野地板１１に固定されており、この締結部材１５を防水テープ１６で覆うことによりシールするようにしてもよい。また、塩ビ鋼板１３〜１５の上に防水シート（図示せず）を張り付けて、塩ビ鋼板１３〜１５の上面全体を防水シートで覆うことにより防水性を向上させるようにしてもよい。
【００４１】
なお、複数の塩ビ鋼板１３〜１５のうち屋根の外縁に位置する塩ビ鋼板１３は、断熱材１２の外端部１２ａよりも水平方向外側に延出する延出部１３ａを有する。また、断熱材１２の外端部１２ａと野地板１１の外端部１１ａとは水平方向において同じ位置となっている。
【００４２】
屋根フレーム１８を支持する天井梁１９はブラケット２０を介して柱２１に支持され、この柱２１には外壁材２２が取り付けられている。なお、断熱材１２及び野地板１１の外端部１２ａ，１１ａと外壁材２２の外表面２２ａとは、水平方向において同じ位置となっている。したがって、塩ビ鋼板１３の延出部１３ａは、外壁材２２の外表面２２ａに対し水平方向において屋外側に延出している。ちなみに、図１中の符号２３は、屋内のうちの室内空間Ｒを保温するとともに遮音性を向上させるための、グラスウール等による断熱材を示している。
【００４３】
外壁材２２の上部には、タッピングスクリュ２４（締結部材）により樋支持部材３０が固定されており、この樋支持部材３０には雨樋４０が支持されている。雨樋４０は、外壁材２２の外表面２２ａに沿って水平方向に延びる樋４１と、タッピングスクリュ２４により樋支持部材３０に固定された吊り金具４２とを有して構成され、樋４１は吊り金具４２により支持されている。樋４１の上方には水切り材４３が配置されており、この水切り材４３は樋支持部材３０に取り付けられている。より詳細には、水切り材４３は、樋支持部材３０のうち後述する連結部３３の部分にビス等により取り付けられている。
【００４４】
次に、樋支持部材３０の構成について詳細に説明する。
【００４５】
樋支持部材３０は、断熱材１２及び野地板１１の外端部１２ａ，１１ａに沿って水平方向に延びる形状である。樋支持部材３０の材質は、屋根葺き材１３〜１５と同様にして、耐水材で被覆された金属板が採用されており、具体的には、ポリ塩化ビニル等の樹脂を金属板に塗布して形成された塩ビ鋼板が採用されている。つまり、樋支持部材３０には防水性を有する材質が採用されている。
【００４６】
また、樋支持部材３０は、以下に説明する取付部３１、接着部３２及び連結部３３を有する形状である。取付部３１は、上下方向に延びる形状であり、外壁材２２の上部に取り付けられている。詳細には、タッピングスクリュ２４により取付部３１を外壁材２２に固定させている。接着部３２は、取付部３１より上方に位置するとともに上下方向に延びる形状であり、連結部３３は、取付部３１の上端と接着部３２の下端とを連結するよう水平方向に延びる形状である。要するに、樋支持部材３０は、水平方向において接着部３２が取付部３１よりも屋外側に位置するようクランク状に形成されている。換言すれば、樋支持部材３０の形状は、外壁材２２の外表面２２ａに平行かつ水平な方向（図１の紙面垂直方向）に対し垂直な面の断面が、略Ｚ字状となるよう形成されている。
【００４７】
このように樋支持部材３０をクランク状に形成することで、接着部３２は、外表面２２ａと同一面上に位置する断熱材１２及び野地板１１の外端部１２ａ，１１ａに対し、屋外側にオフセット配置されるとともに、外端部１２ａ，１１ａと対向するように配置されることとなる。つまり、接着部３２の屋内側の面（後述する接着面３２ａに相当）と外端部１２ａ，１１ａとの間に間隙Ｋが設けられている。
【００４８】
また、連結部３３及び取付部３１に直射日光が照射されることを接着部３２で遮るよう、樋支持部材３０は形成されている。つまり、連結部３３及び取付部３１は、建物１０の上方から照射される直射日光に対し接着部３２の陰に位置する。水切り材４３は連結部３３から下方に延びる形状であり、取付部３１に直射日光が照射されることを水切り材４３で遮るよう、水切り材４３は配置されている。つまり、取付部３１は、建物１０の上方から照射される直射日光に対し水切り材４３の陰に位置する。樋４１の上端は取付部３１よりも上方に位置しており、取付部３１に直射日光が照射されることを樋４１で遮るよう、樋４１は配置されている。
【００４９】
接着部３２の上端は、上下方向において塩ビ鋼板１３の延出部１３ａと同じ位置又は延出部１３ａよりも下方に位置する。接着部３２の下端は、上下方向において野地板１１よりも下方に位置する。連結部３３は野地板１１よりも下方に位置し、連結部３３と延出部１３ａとの間に間隙Ｋが位置する。取付部３１の上端は、上下方向において野地板１１よりも下方に位置する。
【００５０】
接着部３２の屋外側の面３２ｂには、防水性を有する被覆シート５０が接着剤により接着されている。被覆シート５０の材質には、屋根葺き材１３〜１５と同様にして、耐水材で被覆された金属板が採用されており、具体的には、ポリ塩化ビニル等の樹脂を金属板に塗布して形成された塩ビ鋼板が採用されている。
【００５１】
被覆シート５０は、接着部３２の屋外側の面３２ｂを覆う支持部材被覆部５１、及び塩ビ鋼板１３の延出部１３ａを覆う屋根部材被覆部５２を有している。つまり、被覆シート５０の一方の辺が支持部材被覆部５１、他方の辺が屋根部材被覆部５２となるよう折り曲げられたシートである。換言すれば、被覆シート５０は、外壁材２２の外表面２２ａに平行かつ水平な方向（図１の紙面垂直方向）に対し垂直な面の断面が、Ｌ字状となるよう折り曲げられている。両被覆部５１，５２は、接着部３２及び塩ビ鋼板１３の各々に対して接着剤により接着されている。
【００５２】
ここで、接着部３２の上端と延出部１３ａの先端との間には開口部ＣＬが形成されており、接着部３２及び塩ビ鋼板１３から被覆シート５０を取り外した状態では、間隙Ｋが開口部ＣＬから屋外に露出することとなる。そこで、被覆シート５０は開口部ＣＬを覆っており、これにより間隙Ｋが露出することを防止している。これにより、屋外の雨水が開口部ＣＬから間隙Ｋに入ることを防止している。
【００５３】
開口部ＣＬは、後述するメンテナンス作業者の手が入らない程度の大きさに形成されている。一方、延出部１３ａを有する塩ビ鋼板１３を断熱材１２から取り外した状態（図２（ｂ）に示す状態）においては、延出部１３ａが取り除かれることにより、間隙Ｋの開口部（図２（ｂ）中の符号Ｋａ参照）は広く開けられる。つまり、開口部ＣＬは、接着部３２の上端と延出部１３ａの先端との間に形成されるのに対し、開口部Ｋａは、接着部３２の上端と断熱材１２の先端との間に形成される。このように広く開けられた状態の開口部Ｋａ及び間隙Ｋは、メンテナンス作業者の手が入る大きさを確保できる大きさに形成されている。
【００５４】
なお、図１では、被覆シート５０の厚みと樋支持部材３０の厚みを同程度に記載しているが、実際には被覆シート５０の厚みは樋支持部材３０よりも薄く、例えば、樋支持部材３０は１ｍｍ〜２ｍｍの厚みであり自重を支持できる程度に剛性を有するのに対し、被覆シート５０は１ｍｍよりも薄い厚みであり、被覆シート５０を貼り付ける作業者により自在に折り曲げ可能である。
【００５５】
上述した間隙Ｋは、外端部１２ａ，１１ａに沿って水平方向に延びる形状である。そして間隙Ｋには、ケーブルテレビやアンテナに用いられる各種通信線や電気配線（以下、単に「配線Ｗ」と記載）が設置されている。例えば、連結部３３の上に配線Ｗを載せることが望ましい。
【００５６】
ここで、建物１０の屋根側は塩ビ鋼板１３〜１５により防水され、屋根と外壁材２２との境界部は、塩ビ鋼板製の樋支持部材３０及び被覆シート５０により防水されている。しかしながら、塩ビ鋼板１３〜１５及び被覆シート５０に塗布されている樹脂（ポリ塩化ビニル）が紫外線により劣化したり、塩ビ鋼板１３〜１５の芯材となっている金属板が腐食したりする等、これらの塩ビ鋼板１３〜１５及び被覆シート５０は経年劣化して防水性能が低下する。そこで、これらの防水性能低下を補うべく、塩ビ鋼板１３〜１５の上から防水シートを増張りするメンテナンスが要求される場合がある。
【００５７】
以下、このメンテナンス作業の手順について、図２を参照しつつ説明する。なお、図２では、柱２１及び断熱材２３等の図示を省略している。
【００５８】
先ず、図２（ａ）に示すように、被覆シート５０のうち開口部ＣＬを覆っている部分（例えば符号５０ａに示す部分）を、ナイフ等の工具を用いてメンテナンス作業者が切断して、支持部材被覆部５１から屋根部材被覆部５２を切り取る切取作業（除去作業）を行う。切り取った屋根部材被覆部５２については、塩ビ鋼板１３から剥がして廃棄する。また、防水テープ１６を塩ビ鋼板１３から剥がし取る。なお、支持部材被覆部５１については接着部３２に接着させたまま残しておく。
【００５９】
次に、図２（ｂ）に示すように、タッピングスクリュ１７を取り外して塩ビ鋼板１３を断熱材１２から取り外す。これにより、樋支持部材３０と断熱材１２との間に設けられた前述の間隙Ｋを屋外側に露出させる。また、延出部１３ａが取り除かれることにより、間隙Ｋの開口部Ｋａが広く開けられる。
【００６０】
次に、図２（ｃ）に示すように、メンテナンス用防水シート６０を開口部Ｋａから間隙Ｋへ挿入し、樋支持部材３０に形成された接着面３２ａにメンテナンス用防水シート６０の下方部分（接着部６１）を接着剤により接着する（接着作業）。なお、このメンテナンス用防水シート６０は、被覆シート５０と同様の材質及び厚み寸法のシート（塩ビ鋼板）である。
【００６１】
次に、図２（ｄ）に示すように、取り外した塩ビ鋼板１３を断熱材１２上の元の位置に戻し、タッピングスクリュ１７により断熱材１２へ取り付ける。その後、メンテナンス用防水シート６０のうち接着面３２ａに接着されていない上方部分（重複部６２）を折り曲げて、塩ビ鋼板１３の延出部１３ａの上に重ね合せる。つまり、この重ね合わせた状態において、メンテナンス用防水シート６０は、接着面３２ａに接着された接着部６１と、重ね合わせられた重複部６２とを有するＬ字状となる。なお、重複部６２は延出部１３ａに接着してもよいし、接着することなく重ね合わせるだけでもよい。
【００６２】
次に、図２（ｄ）に示すように、メンテナンス用防水シート６０とは別の屋根用防水シート７０を塩ビ鋼板１３〜１５の上から覆い被せる。これにより、塩ビ鋼板１３〜１５の上面全体が屋根用防水シート７０により覆い被せられ、経年劣化した塩ビ鋼板１３〜１５の防水性能低下が補われる。また、屋根用防水シート７０の端部７１を、メンテナンス用防水シート６０の重複部６２の上に重ね合わせ、接着剤により接着する。なお、この屋根用防水シート７０は、被覆シート５０と同様の材質及び厚み寸法のシート（塩ビ鋼板）である。
【００６３】
屋根用防水シート７０は、１枚で形成されていても複数枚に分割されていてもよく、いずれの場合においても、メンテナンス用防水シート６０を接着面３２ａに接着した後に、屋根用防水シート７０をメンテナンス用防水シート６０に接着する。
【００６４】
屋根用防水シート７０が複数枚に分割されている場合を例に、屋根用防水シート７０の接着手順をより詳細に説明すると、先ず、複数枚の屋根用防水シート７０のうちメンテナンス用防水シート６０に隣接するシート７０の端部７１を、メンテナンス用防水シート６０に重ねて接着する。その後、複数枚の屋根用防水シート７０のうちメンテナンス用防水シート６０に接着したシート７０に隣接するシートの端部を、前記接着したシート７０に接着する。このように、メンテナンス用防水シート６０を接着部３２に接着させた後、メンテナンス用防水シート６０に近い側の屋根用防水シート７０から順次接着させていく。
【００６５】
以上の手順により、メンテナンス用防水シート６０及び屋根用防水シート７０を増張りするメンテナンス作業は完了する。
【００６６】
なお、配線Ｗは、上述したメンテナンス作業を実施する前から間隙Ｋに配置されており、例えば新たな配線を増設する場合や、既設の配線Ｗを別の配線に取り替えるメンテナンスを実施する場合には、図２（ｂ）に示すように塩ビ鋼板１３を断熱材１２から取り外す作業をした後に、増設する配線等を開口部Ｋａから間隙Ｋへ挿入すればよい。
【００６７】
以上、詳述した本実施形態の構成及び作業手順によれば、以下の優れた効果が得られる。
【００６８】
（１）樋支持部材３０の屋内側の面に接着面３２ａを形成し、その接着面３２ａと断熱材１２の外端部１２ａとの間に間隙Ｋを設ける構成であるため、メンテナンス用防水シート６０の端部を間隙Ｋに挿入して接着面３２ａに接着させることができる。このように、樋支持部材３０の屋内側に形成された接着面３２ａに防水シート６０を接着できるので、樋支持部材３０から雨樋４０及び水切り材４３を取り外すことなく防水シート６０を樋支持部材３０に接着することができる。よって、防水メンテナンスの作業性を向上できる。
【００６９】
（２）接着面３２ａを樋支持部材３０の屋内側に形成しているので、接着面３２ａが紫外線により劣化することを屋外側の面に比べて低減できる。よって、メンテナンス用防水シート６０の接着面３２ａへの接着性悪化を抑制できる。
【００７０】
（３）樋支持部材３０を構成する接着部３２の屋外側の面には、被覆シート５０が貼り付けられているので、接着部３２の屋外側の面が紫外線や風雨に晒される等により劣化することを被覆シート５０により抑制できる。
【００７１】
（４）切取作業時に、支持部材被覆部５１については接着部３２に接着させたまま残しておくので、防水メンテナンス作業後の状態（図２（ｄ）に示す状態）において、メンテナンス用防水シート６０及び被覆シート５０の支持部材被覆部５１により接着部３２を二重で防水できるので、樋支持部材３０に対する防水性を向上できる。なお、樋支持部材３０を構成する連結部３３及び取付部３１は、接着部３２の陰に位置するので、接着部３２に比べて紫外線劣化が少ない。特に取付部３１の位置は、水切り材４３及び樋４１の陰にもなっているので、取付部３１の紫外線劣化は少ない。そのため、これら連結部３３及び取付部３１についてはメンテナンス用防水シート６０及び被覆シート５０を接着することを不要にできる。
【００７２】
（５）防水メンテナンス作業の実施前の状態（図２（ａ）の状態）において、被覆シート５０の両端（被覆部５１，５２）を接着部３２及び塩ビ鋼板１３に接着することで、接着部３２の上端と延出部１３ａの先端との開口部ＣＬを被覆シート５０で覆っているため、屋外の雨水が開口部ＣＬから間隙Ｋに入ることを防止できる。
【００７３】
一方、防水メンテナンス作業の際には、屋根部材被覆部５２を支持部材被覆部５１から切り取るだけで間隙Ｋを露出させることを容易に実現できるので、メンテナンス用防水シート６０を間隙Ｋへ挿入する作業を容易に実施できる。さらに、防水シート６０を間隙Ｋへ挿入する前に、延出部１３ａを取り除く作業を行うので、間隙Ｋの開口部Ｋａを広く開けることができ、メンテナンス用防水シート６０を間隙Ｋへ挿入する作業及び接着面３２ａに接着する作業の作業性を向上できる。
【００７４】
（６）樋支持部材３０をクランク状に形成することにより、樋支持部材３０のうち接着部３２を外壁材２２の外表面２２ａから屋外側にオフセット配置するので、従来の建物１０ｘ（図４参照）に対して外壁材２２の位置を変更することなく、図１に示す如く間隙Ｋを設けることを実現できる。よって、従来の建物１０ｘに対して間隙Ｋを設ける構造に変更することを容易に実現できる。
【００７５】
（７）メンテナンス用防水シート６０を接着面３２ａに接着した後、メンテナンス用防水シート６０を折り曲げて塩ビ鋼板１３の上に重ね合わせるので、防水メンテナンス作業の実施後の状態（図２（ｄ）の状態）において、当該メンテナンス用防水シート６０により塩ビ鋼板１３と樋支持部材３０との間（つまり間隙Ｋ）を確実に防水できる。
【００７６】
（８）防水メンテナンス作業において、メンテナンス用防水シート６０を接着部３２の接着面３２ａに接着させた後、屋根用防水シート７０の端部７１をメンテナンス用防水シート６０の重複部６２の上に重ね合わせて接着する。これによれば、接着面３２ａとの接着によりメンテナンス用防水シート６０は位置決めされ、このように位置決めされているメンテナンス用防水シート６０に屋根用防水シート７０の端部７１を接着するので、その結果、屋根用防水シート７０を、位置決めしつつメンテナンス用防水シート６０に接着させることができる。
【００７７】
ここで、本実施形態の作業手順に反し、メンテナンス用防水シート６０を接着面３２ａに接着する前に、メンテナンス用防水シート６０に屋根用防水シート７０を接着させる場合には、両シート６０，７０が互いに接着した状態で、両シート６０，７０を所定位置に移動させる位置決め作業をしなければならず、このように互いに接着した状態での位置決め作業は作業性が悪い。これに対し本実施形態によれば、上述の如く屋根用防水シート７０を位置決めしつつメンテナンス用防水シート６０に接着させることができるので、接着されていない状態で両シート６０，７０を別々に位置決め作業できる。よって、屋根用防水シート７０を塩ビ鋼板１３〜１５の上から覆い被せて取り付ける作業を行うにあたり、その作業性を向上できる。
【００７８】
（９）さらに、屋根用防水シート７０を複数枚に分割して形成している場合には、メンテナンス用防水シート６０を接着面３２ａに接着させた後、メンテナンス用防水シート６０に近い側の屋根用防水シート７０から順次接着させていくので、複数枚の屋根用防水シート７０が互いに接着した状態で複数枚の屋根用防水シート７０を所定位置に移動させるといった作業性の悪い位置決め作業を回避でき、接着されていない状態で複数枚の屋根用防水シート７０を別々に位置決め作業できる。よって、屋根用防水シート７０の取り付け作業性を向上できる。
【００７９】
（１０）樋支持部材３０の屋内側の面（接着面３２ａ）と断熱材１２の外端部１２ａとの間に間隙Ｋを設ける構成であるため、間隙Ｋを各種配線Ｗの設置スペースとして利用できる。
【００８０】
また、その間隙Ｋは樋支持部材３０の屋内側に位置するので、屋外から目隠しされた位置に各種配線Ｗの設置スペースを確保することができる。しかも、間隙Ｋは、防水メンテナンス作業前の状態においては被覆シート５０により覆われ、防水メンテナンス作業後の状態においてはメンテナンス用防水シート６０により覆われているので、間隙Ｋに設置された配線Ｗが被水したり紫外線で劣化することを低減できる。
【００８１】
なお、本発明は上記実施形態に限らず、例えば次のように実施してもよい。
【００８２】
・上記実施形態では、防水メンテナンス作業時にメンテナンス用防水シート６０を接着させているが、図３に示すように、建物１０を建築する当初から予めメンテナンス用防水シート６００を接着させてもよい。この場合におけるメンテナンス用防水シート６００は、接着面３２ａに接着された接着部６１０及び非接着部６２０を有する。そして、メンテナンス作業前の状態（図３に示す状態）では、非接着部６２０は曲げられて間隙Ｋに収容されている。
【００８３】
また、図３の場合におけるメンテナンス作業の手順を説明すると、先ず、図２（ａ）（ｂ）と同様にして屋根部材被覆部５２を切り取り、塩ビ鋼板１３を断熱材１２から取り外す。その後、予め間隙Ｋに収容されているメンテナンス用防水シート６００の非接着部６２０を間隙Ｋから取り出す。その後は、図２（ｄ）と同様にして取り外した塩ビ鋼板１３を断熱材１２上の元の位置に戻し、メンテナンス用防水シート６００の非接着部６２０を折り曲げて、塩ビ鋼板１３の延出部１３ａの上に重ね合せる。その後、屋根用防水シート７０を塩ビ鋼板１３〜１５の上から覆い被せ、屋根用防水シート７０の端部７１をメンテナンス用防水シート６００の非接着部６２０の上に重ね合わせ、接着剤で接着する。
【００８４】
以上説明した図３の実施形態によれば、防水シート６００が間隙Ｋに予め収容されているので、防水メンテナンス作業時にクレーン等を用いて防水シート６００を屋根上まで揚上することを不要にできる。また、防水シート６００が接着面３２ａに予め接着されているので、防水シート６００を接着面３２ａに接着する作業を防水メンテナンス作業時には不要にできる。以上により、防水メンテナンスの作業性を向上できる。
【００８５】
・上記実施形態では、フラット屋根の建物１０に本発明に係る屋根構造を適用させているが、切妻屋根の建物に適用させてもよい。図１に示すフラット屋根では、断熱材１２（又は野地板１１）の外端部１２ａが外壁材２２の外表面２２ａと同一面上に位置する場合において、その外端部１２ａと樋支持部材３０との間に間隙Ｋを形成している。これに対し、切妻屋根の場合には軒先を有する屋根構造となるため、外表面２２ａよりも屋外側に延出した屋根部材（断熱材又は野地板）の軒先部（外端部）と樋支持部材との間に間隙を形成することとなる。
【００８６】
・上記実施形態では、断熱材１２及び野地板１１を「屋根部材」として例示しているが、他の例示として、軒桁、垂木、小屋梁、妻梁、鼻先板、破風板等が挙げられる。
【００８７】
・上記実施形態では、塩ビ鋼板１３〜１５を「屋根葺き材」として例示しているが、他の例示として、ＡＬＣ等のコンクリートアスファルトが挙げられる。
【００８８】
・上記実施形態では、樋支持部材３０の連結部３３に水切り材４３を取り付けているが、取付部３１や接着部３２に取り付けるようにしてもよい。
【００８９】
・上記実施形態では、樋支持部材３０の取付部３１に雨樋４０を取り付けているが、連結部３３や接着部３２に取り付けるようにしてもよい。
【符号の説明】
【００９０】
１０…建物、１１…野地板（屋根部材）、１１ａ…野地板の外端部、１２…断熱材（屋根部材）、１２ａ…断熱材の外端部、１３，１４，１５…塩ビ鋼板（屋根葺き材）、３０…樋支持部材、３１…取付部、３２…接着部、３２ａ…接着面、３３…連結部、４０…雨樋、５０…被覆シート、５１…支持部材被覆部、５２…屋根部材被覆部、６０…メンテナンス用防水シート、７０…屋根用防水シート、Ｋ…間隙。
【図１】
2010174594.tif 000003
【図２】
2010174594.tif 000004
【図３】
2010174594.tif 000005
【図４】
2010174594.tif 000006